(57)【要約】【課題】パレットを構成する木材の幅に制約されることなく組立が可能であり、且つ充分な強度を有する連結金具を含む組立式パレットを提供すること。【解決手段】同一水平面上に間隔を置いて平行状に配列され水平方向に貫通するボルトの貫通孔２ａを穿つ複数本の角材２からなる下枠体３と、下枠体３の上面に角材２に対して直交状に渡され、且つ互いに間隔を置いて配列され水平方向に貫通するボルトの貫通孔４ａを穿つ複数本の角材４からなる上枠体５と、交差する角材２，３同士を連結金具６０によって連結する。連結金具６０は水平基板６１の直交する２辺部６１ａ，６１ｂから直角に起立する第１連結片６２と直角に垂下する第２連結片６３を各延設すると共に、各連結片６２，６３にボルトの挿通孔６２ａ，６３ａを開設し、挿通孔６２ａ，６３ａに通すボルト８，９を各角材２，４の貫通孔２ａ，４ａに通してナット１２，１５で緊締して角材２，４相互を連結し、上下の枠体５，３を格子状に枠組する。【選択図】図６
2009274738.tif 000002
【特許請求の範囲】
【請求項１】
同一水平面上に所要の間隔を置いて平行状に配列される複数本の角材からなる下枠体と、上記下枠体の上面に前記角材に対して直交状に渡され、且つ互いに所要の間隔を置いて配列される複数本の角材からなる上枠体と、上記下枠体と上枠体の交差する角材同士を連結し、該上下の枠体を格子状に組付ける連結金具から構成され、
前記連結金具は水平基板の直交する２辺部から直角に起立する第１連結片と直角に垂下する第２連結片を各延設すると共に、各連結片にボルトの挿通孔を開設し、また前記上下の枠体の各角材には各交差部分に予めそれぞれ水平方向に貫通するボルトの貫通孔を開設して前記第１連結片及び第２連結片のそれぞれの挿通孔に通すボルトを前記各角材の貫通孔に通してナットで緊締することにより前記連結金具を介して前記上下の枠体の角材相互を連結し、上下の枠体を格子状に枠組することを特徴とした組立式パレット。
【請求項２】
請求項１に記載の組立式パレットにおいて、連結金具の水平基板は矩形状に形成し、隅角を挟んで隣接する２辺部からそれぞれ矩形状の第１連結片及び第２連結片を延設することを特徴とした組立パレット。
【請求項３】
請求項１に記載の組立式パレットにおいて、上下の枠体の各角材には交差する間隔に合せて水平方向にボルトの貫通孔を予め穿つことを特徴とした組立式パレット。
【請求項４】
請求項３に記載の組立式パレットにおいて、上下の枠体の各角材に開設するボルトの貫通孔は所定の間隔で開設することを特徴とした組立式パレット。
【請求項５】
請求項３に記載の組立式パレットにおいて、上下の枠体の各角材に開設するボルトの貫通孔は同一の間隔で開設することを特徴とした組立式パレット。
【発明の詳細な説明】
【技術分野】
【０００１】
本発明は、資材等の搬送に用いる組立式パレットに関する。
【背景技術】
【０００２】
従来から資材等貨物の搬送に木製、金属製、或いは樹脂製のパレットが広く用いられている。特に比較的コストが安く、取扱いが容易なことから木製パレットが多く用いられている。パレットには搬送する貨物に合せて相応の強度が求められるため、重量物を搬送する木製パレットの場合には金属部材により補強したり、木材相互を釘等で強固に連結するものがあったが、釘等で連結してしまうと使用後の解体が困難になり、また釘等で固定された木質部分が破壊されて再利用することが困難になるといった問題があった。
この様な事情に対応するものとして、従来例として例えば、特許文献１に記載される木製パレットが提案されている。
【特許文献１】特開２００７−８４１４４号公報
【０００３】
特許文献１に記載の木製パレットは、複数の角材からなる桁部材を平面状に並設し、その桁部材上に複数の角材からなるデッキ部材を格子状となるように桁部材に対して直交させて配置し、その交差部分において、固定部材で連結し、桁部材及びデッキ部材を固定するものとなっている。
この固定部材は、一対の対面した桁部材挟持部と、一対の対面したデッキ部材挟持部を有し、桁部材挟持部の間に桁部材を嵌め入れ一方の桁部材挟持部に螺合したボルトを締め付けてこの桁部材を他方の桁部材挟持部に押し付けて挟みつけるように固定し、また同じようにデッキ部材挟持部の間にデッキ部材を嵌め入れて一方のデッキ部材挟持部に螺合したボルトを締め付けてデッキ部材を他方のデッキ部材挟持部に押し付け固定するものとしている。
この木製パレットは、固定部材のボルトを締め付けることによって桁部材とデッキ部材を挟みつけるようにして固定し、またボルトを緩めることにより桁部材とデッキ部材を固定部材から外し、分解可能にすることで、使用時にはパレットとして組立て、使用後にはこれを分解してパレットの保管、運搬等を容易にしたものである。
【発明の開示】
【発明が解決しようとする課題】
【０００４】
しかしながら、特許文献１に記載の木製パレットは、固定部材の対をなす桁部材挟持部相互の間隔、デッキ部材挟持部相互の間隔が予め定められたものとなっているため、桁部材挟持部とデッキ部材挟持部のそれぞれに収まる幅の木材しか使用することができないといった制約があり、不便なものであった。また、パレットを分解して保管するときに、固定部材は桁部材挟持部とデッキ部材挟持部がそれぞれ上下に突き出ているため重ね合せる等して纏めにくく、保管に広いスペースを要する等、取扱いにくい面があった。
【０００５】
このような問題に鑑み本発明はなされたものであり、その目的とするところは、パレットを構成する木材の幅に制約されることなく組立が可能であり、且つ充分な強度を有する連結金具を含む組立式パレットを提供することにある。また、本発明の他の目的は、組み立てることに併せて容易に分解することが可能であり、保管に必要なスペースを小さくすることが可能な組立式パレットを提供することにある。
【課題を解決するための手段】
【０００６】
上記目的を達成するため本発明は、同一水平面上に所要の間隔を置いて平行状に配列される複数本の角材からなる下枠体と、上記下枠体の上面に前記角材に対して直交状に渡され、且つ互いに所要の間隔を置いて配列される複数本の角材からなる上枠体と、上記下枠体と上枠体の交差する角材同士を連結し、該上下の枠体を格子状に組付ける連結金具から構成され、前記連結金具は水平基板の直交する２辺部から直角に起立する第１連結片と直角に垂下する第２連結片を各延設すると共に、各連結片にボルトの挿通孔を開設し、また前記上下の枠体の各角材には各交差部分に予めそれぞれ水平方向に貫通するボルトの貫通孔を開設して前記第１連結片及び第２連結片のそれぞれの挿通孔に通すボルトを前記各角材の貫通孔に通してナットで緊締することにより前記連結金具を介して前記上下の枠体の角材相互を連結し、上下の枠体を格子状に枠組することを特徴とした組立式パレットを提供するものである。
【０００７】
上記本発明のパレットは、連結金具によって複数本の下枠体と上枠体を格子状に強固に組付けることによって組立てられる。この組立は、下枠体の角材の上面に上枠体の角材を直交状に配置し、この交差部分において、連結金具の水平基板を上枠体の下面または下枠体の上面に沿わせることを通して、連結部材の第１連結片を上枠体の側面に沿わせ、第２連結片を下枠体の角材の側面に沿わせて、それぞれの連結片に穿つ挿通孔に通すボルトを各角材に穿つ貫通孔に通して、反対側に抜け出たボルトの先端にナットをねじ付け、これを緊締することによって行われる。つまり、上枠体の角材にボルト、ナットを介して第１連結片を締め付け、下枠体の角材に同じくボルトとナットを介して第２連結片を締め付けることによって固定し、この連結金具を介在させることで上下の枠の角材同士の交差部を連結するようにしたのである。
そして、上述のように組付けられるパレットは、使用後にはボルトからナットを外し、貫通孔、そして挿通孔から抜き取ることにより連結が外され、分解することができるのである。分解した後は連結部材同士を重ねて纏め保管することができ、角材については長さを揃えて保管し、再使用に備えられることになる。
【０００８】
また、本発明は、連結金具の水平基板は矩形状に形成し、隅角を挟んで隣接する２辺部からそれぞれ矩形状の第１連結片及び第２連結片を延設することを特徴とした組立パレットを提供するものである。
【０００９】
この発明によれば、水平基板の隅角を挟んで連結する２辺部からそれぞれ第１連結片および第２連結片を延設することから、上下の枠体の各角材同士を固定する際に角材相互を正確に直交した状態に連結することができ、これによって格子状に上枠体と下枠体を簡単に組むことができる。
【００１０】
また、本発明は、上下の枠体の各角材には交差する間隔に合せて水平方向にボルトの貫通孔を予め穿つことを特徴とした組立式パレットを提供するものである。
【００１１】
この発明によれば、予め定めた各角材の交差部分に貫通孔が穿たれていることから、所定の強度を持ったパレットを組み立てることができると同時にボルトの貫通位置が決められるため容易に組み立てられることになる。
【００１２】
また、本発明は、上下の枠体の各角材に開設するボルトの貫通孔は所定の間隔で開設することを特徴とした組立式パレットを提供するものである。
【００１３】
この発明によれば、ボルトの貫通孔を所定の間隔で開設することから、角材の強度、規模等の事情を考慮して規則的に角材を配置することができる。
【００１４】
また、本発明は、上下の枠体の各角材に開設するボルトの貫通孔は同一の間隔で開設することを特徴とした組立式パレットを提供するものである。
【００１５】
この発明によれば、ボルトの貫通孔を同一の間隔で開設することから、上下の枠体の角材の交差位置が一定となり、所定の強度のパレットに組み立てられると共に、組立作業が容易になる。またこの貫通孔の位置の特定によって規格化が図られ、量産することが可能になる。
【発明の効果】
【００１６】
したがって、上記説明から、本発明のパレットによれば、挿通孔を穿つ第１連結片及び第２連結片を上下の枠体の交差するそれぞれの角材に沿わせ、上記挿通孔と各角材に形成した貫通孔にボルトを通し、各角材の反対側に突き出たボルトにナットを緊締して各連結片に固定する構造としたことから、角材の幅に合せた長さのボルトを選択すれば、角材の幅に限定されることなく一定形状の連結金具をそのまま使用することが可能となる。またボルトを角材に貫通させて連結片に固定することから、角材に充分な強度を与えることができる。その一方、ボルトを引き抜くことにより角材の連結を解放することができることから、パレットを容易に分解することができ、このとき連結金具も互いに重ね合せることができることから、一纏めにして保管することができ、再使用時に紛失し、パレットの組み立てができなくなるようなことを防止することができる。
【発明を実施するための最良の形態】
【００１７】
添付する図面は本発明の実施の形態を示したもので、図１〜図１２はこの実施の形態における第１の実施例を示したものである。
【実施例１】
【００１８】
図１は本発明に係る組立式パレットを組み立てた状態の平面図、図２（Ａ）は組立式パレットを組み立てた状態の正面図、図２（Ｂ）は組立式パレットを組み立てた状態の右側面図、図３（Ａ）は上枠体に用いる角材の正面図、図３（Ｂ）は下枠体に用いる角材の側面図、図４は連結金具の斜視図である。
【００１９】
本実施形態に係る組立式パレット１は、図１及び図２に示すように、複数本の角材２からなる下枠体３と、下枠体３の上面に載置する如く配置される複数本の角材４からなる上枠体５と、この下枠体３と上枠体５を連結する複数個の連結金具６０とから構成される。この組立式パレット１は、言うまでもなく図示しない資材等の貨物を上枠体５の上面に載置して保管したり運搬するとき等に用いるものである。
【００２０】
下枠体３は、同一水平面上に間隔を置いて平行状に配列される複数本、本実施例においては４本の木製の角材２から構成される。
この角材２には、図３（Ｂ）に示すように、後述するボルト８を通すための貫通孔２ａが等間隔で水平方向に穿たれており、両端の貫通孔２ａ，２ａは、組立時に上枠体５の両端の角材４，４から角材２が突出しない位置に開口されている。
【００２１】
上枠体５は、下枠体３の上面に、角材２に対して直交状に、相互に間隔を置いて配置される複数本、本実施例においては４本の木製の角材４から構成される。
この角材４には、図３（Ａ）に示すように、下枠体３の角材２と同様に後述するボルト９を通すための貫通孔４ａが等間隔で水平方向に穿たれている。また、角材４の両端の貫通孔４ａ，４ａは、角材４の端部から距離をあけて位置しており、組立時に下枠体３の両端の角材２，２から上枠体５の角材４の端部が突出し、後述する資材等の運搬時にワイヤー等を掛けて吊り上げることができるようになっている。
【００２２】
なお、本実施例では、図面に示すように、角材４に形成された貫通孔４ａ同士の間隔は、下枠体３の角材２の貫通孔２ａ同士の間隔よりも長く設定されているが、これに限られず、角材２の貫通孔２ａ同士の間隔と同等に設定してもよいことは勿論であり、載置する資材等の大きさや重量によって変更される。
また、上下の角材２，４は長さを違えているが、パレットの大きさ、形状に合せて任意選択されるもので、これらの長さも設計に基づき自由に選択される。
【００２３】
さらに言えば、角材２，４には予め等間隔で貫通孔２ａ，４ａが穿たれていることから、異なる長さの角材２，４を数種類用意して、それらを組み合わせることにより一定の強度を持った様々な大きさのパレットを組み立てることもできる。
【００２４】
そして、上下の枠体における角材２，４に穿つ貫通孔２ａ，４ａについては、角材の強度、規模等の事情を考慮して間隔を違えたものを複数種類用意することができる。ただこの場合それぞれの種類における貫通孔２ａ，４ａは規則的に配置されることは言うまでもない。
【００２５】
連結金具６０は、図４及び５に示すように、矩形状に形成された金属製の水平基板６１を中心にして、この水平基板６１の第１辺６１ａから直角に起立する矩形状の第１連結片６２を延設し、また水平基板６１の隅角を挟んで隣接する第２辺６１ｂから直角に垂下する矩形状の第２連結片６３を延設して構成されている。この水平基板６１、第１連結片６２、第２連結片６３は１枚の金属板を屈曲させることによって形成されている。
【００２６】
第１連結片６２および第２連結片６３には、図４、図５に示したように、略中央に後述するボルト８，９を貫通させるための挿通孔６２ａ，６３ａが形成されており、この挿通孔６２ａ，６３ａは後述するパレット１の組立時にそれぞれ角材２，４の貫通孔２ａ，４ａと連通することになる。
【００２７】
次に、本実施例に係る組立式パレット１の組み立てについて図６〜図８を参照して説明する。図６は、図２のＡ部分の拡大分解斜視図であり、図７は図２のＡ部分の拡大側面図、図８は図７のＢ−Ｂ断面図である。
【００２８】
パレット１の組み立ては、最初に下枠体３を構成する各角材２を所定の間隔をおいて並行状に並べ、一つの水平面上にそろえた状態に設置する。次に、この下枠体３のそれぞれの角材２の側面に連結金具６０の第２連結片６３を沿わせる。このとき、第２連結片６３の挿通孔６３ａと角材２の貫通孔２ａとが連通する位置に第２連結片６３を沿わせ、次にこの第２連結片６３側からワッシャー１０を介して挿通孔６３ａ、そして貫通孔２ａにボルト８を貫通させる。これによって、貫通孔２ａから突出したボルト８の先端にワッシャー１１を介してナット１２を締め付け固定する。
【００２９】
この様にして下枠体３の角材２に連結金具６０を固定したのち、これらの角材２を跨ぐように上枠体５の角材４を直交状に配置する。このとき、連結金具６０から起立する第１連結片６２を目標にして角材４に予め穿っておく貫通孔４ａの部分を沿わせて連結片６２の挿通孔６２ａと連通させる。そして、前述した場合と同様に上記第１連結片６２側からワッシャー１３を介して挿通孔６２ａおよび貫通孔４ａにボルト９を貫通させ、突出したボルト９の先端にワッシャー１４を介してナット１５を締め付けて固定する。
このように角材２と角材４とを連結金具６０によって連結し、組み立てられた上下の枠体３，５は格子状になり、下枠体３の角材２と上枠体５の角材４とは面同士を密着させた状態で固定される。
なお、第１連結片６２と第２連結片６３の角材２，４への組付けは上述した手順に限られるものではなくどちらを先に行ってもよく、また下枠体３の角材２と上枠体５の角材４を格子状に配置してから連結金具６０を取り付ける等、組み立ての順番は適宜選択できる。
【００３０】
上記のように組立てた組立式パレット１に貨物を載置し運搬する際には、図９に示すように、上枠体５の角材４の端部であって、下枠体３の両端の角材２，２から突出した部分にワイヤーＷを掛けまわしたり、角材２の内側にワイヤーＷを通し、図示しないクレーン等により吊り上げて搬送することになる。
なお、図示しないが、上枠体５の下部にフォークリフトやハンドリフトのフォークを挿入したり、下枠体３の角材２の下面に鉄帯をかけ回して持上げて搬送することもできる。
【００３１】
そして、組立式パレット１を組み立て使用したのちには、ボルト８，９とナット１２，１５を緩めて貫通孔２ａ，４ａおよび挿通孔６２ａ，６３ａから抜き取ることにより分解し解体することができる。そして解体した後は角材２，４を纏めて保管し再使用に備え、このとき傷ついた角材については取り替えて新たな組み立てに再使用することができる。また、連結金具６０は角材２，４から外した後に重ねて保管することができる。
【００３２】
尚、ここで上記使用するボルト８について頭部を角材２，４に潜り込ませる丸頭爪付きボルトを使用すると、連結する角材２，４の側面からの頭部の突出を避けられるので、フォークリフトによる運搬時に、或いはパレットに載置した運搬物相互を隣接して運搬する場合に有利になる。
勿論この場合、丸頭爪付きボルトの頭部の突出を避ける上から予め貫通孔の開口部を皿形に削り、頭部の受け入れを可能にすることになる。
この丸頭爪付きボルトによる場合、パレットの外側に配置される角材２，４に対して組み付けられる連結金具６０は、その連結片６２（又は６３）を角材の内側に沿わせて丸頭爪付きボルトの頭部が外側に位置するようにして、丸頭爪付きボルトの締付が行われることになる。
【００３３】
上述したように、本発明のパレットによれば、角材２，４の一側面に第１連結片６２及び第２連結片６３を沿わせ、挿通孔６２ａ，６３ａと角材２，４の貫通孔２ａ，４ａにボルト８，９を貫通させて、角材２，４の反対の側面側でナット１３を緊締し固定する構造に係ることから、角材２，４の幅、つまり太さに限定されず使用することができる。つまり、角材２，４の太さに合せた長さのボルト８，９を選択することにより使用する角材２，４を自由に選べるのである。
また、角材２と角材４とが直接面を合せて密着するように固定することから、下枠体３および上枠体５に充分な強度を与えることができる。さらにボルト８，９を直接角材２，４に貫通させて固定することから、角材２，４を強固に固定することができる。
さらに、ボルト８，９及びナット１２，１５を緩めて外すことにより容易に分解することが可能であり、また連結金具６０を重ねることができることから、保管に必要なスペースを小さくすることが可能となる。
【実施例２】
【００３４】
図１０および図１１は、連結金具の他の実施形態を示す第２の実施例である。
この連結金具７０は、矩形状に形成された金属製の水平基板７１と、この水平基板７１の第１辺７１ａから直角に起立する矩形状の第１連結片７２と、水平基板７１の隅角を挟んで第１辺７１ａと隣接する第２辺７１ｂから直角に垂下する矩形状の第２連結片７３とから構成される。
この連結金具７０は、実施例１の連結金具６０の第２連結片６３を第２辺６１ｂに対向する辺から垂下するように構成されている。つまり、図７と図１１とを対比して見ると明らかなように水平基板６１，７１に対して垂下する第２連結片６３，７３が対向する異なる辺６１ｂ、７１ｂから延設されているのである。
なお、第１連結片７２及び第２連結片７３に挿通孔７２ａ，７３ａが形成されている点、角材２，４への取付方法は実施例１の連結金具６０と同様である。
【００３５】
なお、図１２に示すように、水平基板７１の下面を角材２の上面に載せた状態で、第１連結片７２を角材４の側面に、そして第２連結片７３を角材２の側面に沿わせて固定するなど、連結金具７０を取り付ける向きは自由であり、連結金具６０についても同様である。
【００３６】
また、連結金具７０とあわせて実施例１の連結金具６０を用いることにより、図１３に示すように、下枠体３の左右両端の角材２，２の外側の面に第２連結片６３，７３を沿わせ、且つ上枠体５の両端の角材４，４の外側の面に第１連結片６２，７２をそれぞれ沿わせて固定することができる。このように連結金具６０，７０を配置することにより、吊り上げるときにワイヤーＷが角材２，４に直接接触せず連結金具６０，７０の連結片に受けられるため角材２，４にワイヤーＷが喰い込むなどして破損するのを防止することができる。
【実施例３】
【００３７】
図１４及び図１５は、上枠体の角材の他の実施形態を示す第３の実施例である。
本実施例は、上枠体５の角材４に対して、角材４と角材２の交差位置にそれぞれ２つずつ貫通孔を形成した例である。
貫通孔４ａ及び４ｂは、角材２の幅に合せて、組立時に角材２を挟んで両側どちらでも連結金具６０，７０を配置することのできる位置に開設されている。
このように貫通孔４ａ，４ｂを形成したことにより、図１５に示すように連結金具６０，７０を適宜配置することができ、これによって連結金具の組付け位置を自由に選択し、作業手順やワイヤーの掛け位置を選べることになる。
【００３８】
なお、角材２の一方の側面に連結金具６０の第２連結片６３を、他方の側面に連結金具７０の第２連結片７３を沿わせて、第２連結片６３，７３同士をボルト８、ワッシャー１０，１１、ナット１２によって固定し、角材４の貫通孔４ａ，４ｂの位置に第１連結片６２，７２を沿わせてそれぞれボルト９，９、ワッシャー１３，１３，１４，１４、ナット１５，１５によって固定することにより、さらに強固に角材２，４を固定することも可能である。
また、本実施例においては、角材４に対して、角材４と角材２との交差位置にそれぞれ２つずつ貫通孔を形成した例を示したが、これと同様に、角材２に対して角材４と角材２との交差位置にそれぞれ２つずつ貫通孔を形成してもよい。
【図面の簡単な説明】
【００３９】
【図１】実施例１に係る組立式パレットを組立てた状態の平面図である。
【図２】（Ａ）は組立式パレットを組み立てた状態の正面図、（Ｂ）は組立式パレットを組み立てた状態の右側面図である。
【図３】（Ａ）は上枠体に用いる角材の正面図、（Ｂ）は下枠体に用いる角材の側面図である。
【図４】実施例１に係る連結金具の斜視図である。
【図５】（Ａ）は連結金具の正面図、（Ｂ）は連結金具の平面図、（Ｃ）は連結金具の右側面図である。
【図６】図２のＡ部分の拡大分解斜視図である。
【図７】図２のＡ部分の拡大側面図である。
【図８】図７のＢ−Ｂ線断面図である。
【図９】実施例１に係る組立式パレットをワイヤーで吊り上げた状態の側面図である。
【図１０】実施例２に係る連結金具の斜視図である。
【図１１】実施例２に係る連結金具を取り付けた状態の平面図である。
【図１２】実施例２に係る連結金具の異なる取付方法を説明する図である。
【図１３】実施例１に係る連結金具及び実施例２に係る連結金具を用いた組立式パレットをワイヤーで吊り上げた状態の側面図である。
【図１４】実施例３に係る組立式パレットを組み立てた状態の正面図である。
【図１５】実施例３に係る組立式パレットを組み立てた状態の平面図である
【符号の説明】
【００４０】
１      組立式パレット
２      角材
２ａ    貫通孔
３      下枠体
４      角材
４ａ    貫通孔
４ｂ    貫通孔
５      上枠体
８      ボルト
９      ボルト
１０    ワッシャー
１１    ワッシャー
１２    ナット
１３    ワッシャー
１４    ワッシャー
１５    ナット
６０    連結金具
６１    水平基板
６１ａ  第１辺
６１ｂ  第２辺
６２    第１連結片
６２ａ  挿通孔
６３    第２連結片
６３ａ  挿通孔
７０    連結金具
７１    水平基板
７１ａ  第１辺
７１ｂ  第２辺
７２    第１連結片
７３    第２連結片
【図１】
2009274738.tif 000003
【図２】
2009274738.tif 000004
【図３】
2009274738.tif 000005
【図４】
2009274738.tif 000006
【図５】
2009274738.tif 000007
【図６】
2009274738.tif 000008
【図７】
2009274738.tif 000009
【図８】
2009274738.tif 000010
【図９】
2009274738.tif 000011
【図１０】
2009274738.tif 000012
【図１１】
2009274738.tif 000013
【図１２】
2009274738.tif 000014
【図１３】
2009274738.tif 000015
【図１４】
2009274738.tif 000016
【図１５】
2009274738.tif 000017